(57)【要約】【課題】指や口の周りを汚さずに且つ安全に焼き鳥等串物が食べられる皿を提供する。【解決手段】皿本体１の一方の短返の縁の一部を該縁の傾斜角度のまま該縁の厚さ以上に張り出した後、略垂直に立ち上げて串抜き部２を形成し、該立ち上げた串抜き部２の上部に焼き鳥等串物の串４を差し込むための串向き溝３を設ける。【選択図】 図３
2010082096.tif 000002
【特許請求の範囲】
【請求項１】
皿の縁の一部を立ち上げて形成し、該立ち上げた部分の周囲に焼き鳥等串物の串を差し込むための溝を少なくとも１つ設けたことを特徴とする串抜き機能付き皿。
【発明の詳細な説明】
【技術分野】
【０００１】
本発明は料理した食品を載せる皿に関し、詳しくは焼き鳥等のような串物を載せる皿に関する。
【背景技術】
【０００２】
一般に焼き鳥等串物は先端の尖った竹串等に複数個（４〜８個が一般的である）の身が刺してあるが、焼き鳥等串物を食べる際、串の真ん中くらいから奥に刺してある身を食べる時は、指で身をしごいて串の先端の方へ移動させて食べたり、串を横にして食べたりしていた。
【０００３】
しかしながら指で身をしごく際には指が汚れたり、また串を横にして食べる場合は口の周りが汚れて特に女性にとっては大きな問題であった。
【０００４】
また、指や口の周りを汚したくないため串を縦にして口の奥に入れて食べて口の中を傷つけるなど安全上の問題もあった。
そのため、この問題を解消するため種々の提案がされてきている。
【０００５】
例えば、特許文献１にはプラスチック製の板に串を差し込むための溝を設けた串用押し具が提案されている。
しかし、前記串用押し具は焼き鳥等串物を載せる皿とは別に串用押し具を用意しなければならないと言う煩雑さがあった。
【０００６】
また、特許文献２では焼き鳥等串物を載せる浅い皿の縁に焼き鳥等串物の串を差し込むための溝を設けた焼き鳥用とり皿が提案されている。
【０００７】
しかし該焼き鳥用とり皿は単に通常の皿の縁を切り欠いた形状であるため、皿の縁が破損しているようで見栄えが悪く、またこの溝が焼き鳥等串物の身をしごくための溝であることに気がつきにくいと言う問題点があった。
【０００８】
更に該溝が焼き鳥等串物を並べておく皿の縁の高さと同じ高さにあるため、皿に焼き鳥等串物が並んでいると並んでいる焼き鳥等串物が邪魔になって該溝に串を差し込むことが難しいと言う問題もあった。
【０００９】
また、一般に皿の縁は外側に向かって斜めに傾斜して広がっているため、串抜き用の溝に焼き鳥等串物の串を差し込んで串に刺した身をしごこうとして串を外側に引くと身が皿の縁から滑ってしまい、うまく串に刺した身を串の先端の方へ移動できないと言う問題もあった。
【特許文献１】特開平９−１５４６９５
【特許文献２】実開昭６３−１２９７５０
【発明の開示】
【発明が解決しようとする課題】
【００１０】
本発明は上記問題点を解決した焼き鳥等串物用の皿を提供することにある。
【課題を解決するための手段】
【００１１】
本発明は上記課題を解決するために皿の縁の一部を立ち上げて形成し、該立ち上げた部分の周囲に焼き鳥等串物の串を差し込むための溝を少なくとも１つ設けたことを特徴とするものである。
【発明の効果】
【００１２】
以上のように本発明に係る串抜き機能付き皿によれば、皿とは別に串に刺した焼き鳥等串物の身をしごいて串の先端に移動させるための道具を用意する煩わしさが無い。
【００１３】
また、串抜き用の溝が皿の縁から立ち上がったところに設けてあるので皿の縁が破損しているような悪印象を与えることなく、且つ串に刺した身をしごく機能が付いている事が誰にでも一目で分かる。
【００１４】
更に、該皿に焼き鳥等串物が並べられていても並べられた焼き鳥等串物が邪魔にならずに串抜き用の溝に串を差し込んで焼き鳥等串物の身をしごいて串の先端に容易に移動させる事ができる。
【発明を実施するための最良の形態】
【００１５】
以下、本発明の実施形態について添付図面を参照しながら説明する。
【実施例１】
【００１６】
図１は本発明に係る串抜き機能付き皿の第１の実施例の斜視図であり、図２はその側面図、図３はその使用状態を示す斜視図、図４は実施例１の串抜き機能付き皿を複数枚重ねた状態を示す側面図である。以下、本実施例につき上記図１、図２、図３及び図４を参照して説明ずる。
【００１７】
本実施例では、皿本体１は長方形をしており、該皿本体１の縁は外側に向かって斜めに傾斜して広がっている。
【００１８】
そして、串抜き部２は該皿本体１の一方の短辺の縁の一部を該皿本体１の縁の傾斜角度のまま該縁の肉厚分以上に張り出させた後、略垂直に立ち上げて形成されている。（図２参照）
【００１９】
これにより串抜き溝３に串４を差し込んで焼き鳥等串物の身５を串抜き部２に引っ掛けて串４を抜く時に身５が串抜き部２から滑って外れるることなく身５を串４の先端付近に移動させる事ができると共に、皿を複数枚重ねて収納する場合でも皿本体１の向きを左右交互にして重ねれば串抜き部２が邪魔にならずにきれいに重ねて収納できる。
【実施例２】
【００２０】
図５は本発明に係る串抜き機能付き皿の第２の実施例を示す側面図であり、図６はその斜視図である。
本実施例では、外側に斜めに傾斜して広がった縁を持つ長方形の皿本体１の一方の短辺の一部を上記縁の傾斜角度のまま該縁の厚さ以上に張り出させた後、皿本体１側へ向けてやや湾曲させて立ち上げて串抜き部２を形成している。
【００２１】
。
このように串抜き部２を皿本体１側へ向けてやや湾曲させて形成することで、焼き鳥等串物の身５が固く締まって串４に付いていても、串４を串抜き溝３に差込み、身５を串抜き部２に引っ掛けて串４を皿本体１の外側方向へ引いてしごく際、身５がより串抜き部２から外れにくく串抜きがし易い。
【実施例３】
【００２２】
図７は本発明に係る串抜き機能付き皿の弟３の実施例を示す側面図であり、図８はその平面図である。
この実施例では外側に向かって斜めに傾斜して広がる縁を持つ長方形の皿本体１の一方の短辺の縁の一部に該縁から直接、略垂直に串抜き部２を立ち上げて形成している。
【００２３】
更に、前記皿本体１の他方の短辺の縁には前記形成した串抜き部２と対向する位置を該串抜き部２の幅より少し広く切欠いた切り欠き部６が設けてある。
【００２４】
これにより、、串抜き部２を皿本体１の縁から張り出させること無く立ち上げて形成しても、皿本体１を重ねて収納する際、皿本体１の向きをを左右交互にして重ねれば、例えば一枚目の皿の縁に形成した該串抜き部２は前記一枚目の皿本体の上に向きを反対にして重ねた二枚目の皿に設けられた切り欠き部６に入るので、一枚目の皿に形成された串抜き部は二枚目の皿の縁と干渉することがなく、皿はきれいに重ねて収納できる。
【実施例４】
【００２５】
図９は本発明に係る串抜き機能付き皿の第４の実施例の斜視図であり、図１０はその平面図である。
本実施例では、外側に向かって斜めに傾斜して広がった縁を持つ長方形の皿本体１の２つの短辺にそれぞれ串抜き部２a及２ｂを前記縁の傾斜角のまま該縁の厚さ分以上に張り出した後、略垂直に立ち上げて形成している。
【００２６】
そして、該串抜き部２a及び２bは該皿本体１の長手方向の中心線A-Aに対して反対の位置にあり、且つ該中心線A-Aに重ならない。
【００２７】
この皿を長辺を正面にして焼き鳥等串物を食べる人の前に出せば、右利きの人でも左利きの人でも容易に串に刺した身をしごくことができる。
【００２８】
また、皿を重ねて収納する場合は、該皿本体１を左右交互に向きを変えて重ねれば、各皿に形成した串抜き部は互いに干渉することなく、皿をきれいに重ねて収納することができる。
【実施例５】
【００２９】
図１１は本発明に係る串抜き機能付き皿の第５の実施例の側面図である。
本実施例の串抜き機能付き皿では、長方形の皿本体１の縁は略垂直に立ち上がっている。
【００３０】
そして、串抜き部２は皿本体１の一方の短辺の縁の外側からやや皿本体１の外にずらして略垂直に立ち上げて形成されている。
【００３１】
これにより、縁が略垂直に立ち上がっている形状の皿の縁に串抜き部を立ち上げて形成しても、重ねて収納する際、皿本体を左右交互に向きを変えて重ねれば、串抜き部２と皿本体１の縁が干渉することなくきれいに重ねて収納できる。
【実施例６】
【００３２】
図１２は上記実施例１から実施例５の串抜き機能付き皿に形成される串抜き部に関する他の実施形態を示す正面図である。
尚、本発明に係る串抜き機能付き皿の実施形態は上記に示した例だけにとどまらず、種々の形態が考えられる。
【図面の簡単な説明】
【００３３】
【図１】本発明の実施例１における串抜き機能付き皿の斜視図。
【図２】本発明の実施例１における串抜き機能付き皿の側面図。
【図３】本発明の実施例１における串抜き機能付き皿の使用状態を示す斜視図。
【図４】本発明の実施例１における串抜き機能付き皿を複数枚重ねた状態を示す側面。
【図５】本発明の実施例２における串抜き機能付き皿の側面図。
【図６】本発明の実施例２における串抜き機能付き皿の斜視図。
【図７】本発明の実施例３における串抜き機能付き皿の側面図。
【図８】本発明の実施例３における串抜き機能付き皿の平面図。
【図９】本発系の実施例４における串抜き機能付き皿の斜視図。
【図１０】本発明の実施例４における串抜き機能付き皿の平面図。
【図１１】本発明の実施例５における串抜き機能付き皿の側面図。
【図１２】本発明の実施例６における串抜き部の正面図。
【符号の説明】
【００３４】
１  皿本体
２  串抜き部
３  串抜き溝
４  串
５  身
６  切り欠き部
【図１】
2010082096.tif 000003
【図２】
2010082096.tif 000004
【図３】
2010082096.tif 000005
【図４】
2010082096.tif 000006
【図５】
2010082096.tif 000007
【図６】
2010082096.tif 000008
【図７】
2010082096.tif 000009
【図８】
2010082096.tif 000010
【図９】
2010082096.tif 000011
【図１０】
2010082096.tif 000012
【図１１】
2010082096.tif 000013
【図１２】
2010082096.tif 000014